(57)【特許請求の範囲】
【請求項１】
装置の表面に貼り付けられて前記表面を保護する保護シートであって、接着面を有する保護シートと、
前記接着面を覆うと共に、分離ラインを介して並んで配置される第１剥離部及び第２剥離部を有する剥離シートと、
前記第１剥離部及び前記第２剥離部それぞれから前記保護シートの外側に延びる延出部と、
前記第１剥離部における前記保護シートとは反対側の面に設けられる仮止部であって、前記第１剥離部の外側にはみ出ないように前記第１剥離部に重なって配置され、前記装置に貼り付け可能であって、前記保護シートを前記装置の表面に仮止めするための仮止部と、を備えることを特徴とする保護シート貼付用のシート貼付構造体。
【請求項２】
前記仮止部は、前記第１剥離部における前記分離ライン寄りに配置される
ことを特徴とする請求項１に記載の保護シート貼付用のシート貼付構造体。
【請求項３】
前記延出部は、前記第１剥離部から前記保護シートの外側に延びる第１延出部と、前記第２剥離部から前記保護シートの外側に延びる第２延出部と、を有する
ことを特徴とする請求項１又は２に記載の保護シート貼付用のシート貼付構造体。
【請求項４】
前記第１延出部は、前記第１剥離部における前記分離ライン寄りの部分から前記保護シートの外側に延びており、
前記第２延出部は、前記第２剥離部における前記分離ライン寄りの部分から前記保護シートの外側に延びている
ことを特徴とする請求項３に記載の保護シート貼付用のシート貼付構造体。
【請求項５】
前記第１延出部は、前記第１剥離部の前記保護シート側の面につながる面が外側に配置されるように折り返されると共に、前記分離ラインに交差する方向で且つ前記第２剥離部から遠ざかる方向に延びており、
前記第２延出部は、前記第２剥離部の前記保護シート側の面につながる面が外側に配置されるように折り返されると共に、前記分離ラインに交差する方向で且つ前記第１剥離部から遠ざかる方向に延びている
ことを特徴とする請求項３又は４に記載の保護シート貼付用のシート貼付構造体。
【請求項６】
装置の表面に貼り付けられて前記表面を保護する保護シートであって接着面を有する保護シートと、前記接着面を覆うと共に分離ラインを介して並んで配置される第１剥離部及び第２剥離部を有する剥離シートと、前記第１剥離部における前記分離ライン寄りの部分から前記保護シートの外側に延びる第１延出部と、前記第２剥離部における前記分離ライン寄りの部分から前記保護シートの外側に延びる第２延出部と、前記第１剥離部における前記保護シートとは反対側の面に設けられ且つ前記第１剥離部の外側にはみ出ないように前記第１剥離部に重なって配置されると共に前記装置に貼り付け可能な仮止部と、を備える保護シート貼付用のシート貼付構造体を用いて保護シートを貼付する貼付方法であって、
前記仮止部を装置の表面に前記保護シートを仮止めする仮止工程と、
前記仮止工程により前記保護シートを前記仮止部で仮止めした後に、前記第２剥離部を前記第２延出部を引っ張ることにより前記保護シートから剥がして、前記保護シートを前記装置の表面に貼付する第１剥離貼付工程と、
前記第１剥離貼付工程の後に、前記仮止部が設けられる前記第１剥離部を前記第１延出部を引っ張ることにより前記保護シートから剥がすと共に前記仮止部を前記装置の表面から剥がして、前記保護シートを前記装置の表面に貼付する第２剥離貼付工程と、を備える
シート貼付構造体を用いて保護シートを貼付する貼付方法。
【発明の詳細な説明】
【技術分野】
【０００１】
本発明は、ゲーム機などの装置における表示面などの表面を保護するための保護シートを有するシート貼付構造体及びシート貼付構造体を用いて保護シートを貼付する貼付方法に関する。
【背景技術】
【０００２】
従来、ゲーム機（装置）などの被貼付部材の表示面（表面）を保護するための保護シートと、保護シートの接着面を保護する剥離シートと、剥離シートに形成され保護シートからはみ出す大きさのフリー部分と、保護シートの一端側を仮止めするための仮止シールと、を備えるシート貼付構造体が知られている。このシート貼付構造体を用いて保護シートを貼付する貼付方法であって、保護シートの一端側を表示面の外側の枠体部分に仮止シールで上方側から仮止めした状態で、保護シートを上側から押さえつけて保護シートの接着面と被貼付部材の表示面を密着させながらフリー部分を引っ張ることで、接着面と被貼付部材の表示面とを密着させた状態で剥離シートを剥離して、保護シートを被貼付部材の表示面に貼り付けることができるシート貼付構造体を用いて保護シートを貼付する貼付方法が知られている（例えば、特許文献１参照）。
【０００３】
特許文献１に記載のシート貼付構造体を用いて保護シートを貼付する貼付方法においては、被貼付部材の表示面と保護シートとの間に気泡やホコリ等が入ることが抑制されることが開示されている。
【先行技術文献】
【特許文献】
【０００４】
【特許文献１】特許第４８８７４５１号公報
【発明の概要】
【発明が解決しようとする課題】
【０００５】
特許文献１に記載のシート貼付構造体を用いて保護シートを貼付する貼付方法においては、保護シートの一端側を表示面の外側の枠体部分に仮止シールで上方側から貼り付けた状態で、保護シートをゲーム機の表示面に貼り付けている。仮止シールにより仮止めした部分において、シート貼付構造体の厚さの分だけ段差が生じる。これにより、シート貼付構造体から剥離シートをフリー部分を引っ張って剥がす際に、仮止シールがシート貼付構造体の厚さの分だけ水平方向に移動しやすく、保護シートの水平方向への位置ずれが起こりやすいことが分かった。
また、特許文献１に記載のシート貼付構造体を用いて保護シートを貼付する貼付方法においては、シート貼付構造体から剥離シートを剥がす際に、もし剥離シートを斜めに引っ張ると、仮止シールが傾きやすく、保護シートの位置ずれが生じる可能性があることが分かった。
そのため、保護シートの位置ずれを低減することができるシート貼付構造体及びシート貼付構造体を用いて保護シートを貼付する貼付方法が望まれる。
【０００６】
本発明は、保護シートの位置ずれを低減することができるシート貼付構造体及びシート貼付構造体を用いて保護シートを貼付する貼付方法を提供することを目的とする。
【課題を解決するための手段】
【０００７】
本発明は、装置の表面に貼り付けられて前記表面を保護する保護シートであって、接着面を有する保護シートと、前記接着面を覆うと共に、分離ラインを介して並んで配置される第１剥離部及び第２剥離部を有する剥離シートと、前記第１剥離部及び／又は前記第２剥離部から前記保護シートの外側に延びる延出部と、を備えることを特徴とする保護シート貼付用のシート貼付構造体に関する。
【０００８】
また、前記第１剥離部又は前記第２剥離部に設けられ、前記保護シートを前記装置の表面に仮止めするための仮止部を更に備えることが好ましい。
【０００９】
また、前記仮止部は、前記装置に貼り付け可能であることが好ましい。
【００１０】
また、前記仮止部は、前記装置の凸部に挿通可能な仮止孔を有することが好ましい。
【００１１】
前記仮止部は、前記装置に貼り付け可能な貼付部と、前記装置の凸部に挿通可能な仮止孔と、を有することが好ましい。
【００１２】
前記仮止部は、前記第１剥離部における前記分離ライン寄りに配置されることが好ましい。
【００１３】
また、前記延出部は、前記第１剥離部から前記保護シートの外側に延びる第１延出部と、前記第２剥離部から前記保護シートの外側に延びる第２延出部と、を有することが好ましい。
【００１４】
また、前記第１延出部は、前記第１剥離部における前記分離ライン寄りの部分から前記保護シートの外側に延びており、前記第２延出部は、前記第２剥離部における前記分離ライン寄りの部分から前記保護シートの外側に延びていることが好ましい。
【００１５】
また、前記第１延出部は、前記第１剥離部の前記保護シート側の面につながる面が外側に配置されるように折り返されると共に、前記分離ラインに交差する方向で且つ前記第２剥離部から遠ざかる方向に延びており、前記第２延出部は、前記第２剥離部の前記保護シート側の面につながる面が外側に配置されるように折り返されると共に、前記分離ラインに交差する方向で且つ前記第１剥離部から遠ざかる方向に延びていることが好ましい。
【００１６】
また、前記第１剥離部に覆われる前記接着面は、前記保護シートを前記装置の表面に仮止めするための仮止部としての機能を有し、前記延出部は、前記第２剥離部から前記保護シートの外側に延びる第２延出部を有することが好ましい。
【００１７】
また、前記第２延出部は、前記第２剥離部の前記保護シート側の面につながる面が外側に配置されるように折り返されると共に、前記分離ラインに交差する方向で且つ前記第１剥離部から遠ざかる方向に延びているこが好ましい。
【００１８】
また、本発明は、装置の表面に貼り付けられて前記表面を保護する保護シートであって接着面を有する保護シートと、前記接着面を覆うと共に分離ラインを介して並んで配置される第１剥離部及び第２剥離部を有する剥離シートと、前記第１剥離部における前記分離ライン寄りの部分から前記保護シートの外側に延びる第１延出部と、前記第２剥離部における前記分離ライン寄りの部分から前記保護シートの外側に延びる第２延出部と、前記第１剥離部に設けられた仮止部と、を備える保護シート貼付用のシート貼付構造体を用いて保護シートを貼付する貼付方法であって、前記仮止部を装置の表面に前記保護シートを仮止めする仮止工程と、前記仮止工程により前記保護シートを前記仮止部で仮止めした後に、前記第２剥離部を前記第２延出部を引っ張ることにより前記保護シートから剥がして、前記保護シートを前記装置の表面に貼付する第１剥離貼付工程と、前記第１剥離貼付工程の後に、前記仮止部が設けられる前記第１剥離部を前記第１延出部を引っ張ることにより前記保護シートから剥がすと共に前記仮止部を前記装置の表面から剥がして、前記保護シートを前記装置の表面に貼付する第２剥離貼付工程と、を備えるシート貼付構造体を用いて保護シートを貼付する貼付方法に関する。
【発明の効果】
【００１９】
本発明によれば、保護シートの位置ずれを低減することができるシート貼付構造体及びシート貼付構造体を用いて保護シートを貼付する貼付方法を提供することができる。
【図面の簡単な説明】
【００２０】
【図１】本発明の第１実施形態に係るシート貼付構造体１の全体構成を示す図であって、（ａ）は平面図であり、（ｂ）は、図１（ａ）のＡ−Ａ線断面図である。
【図２】図１に示すシート貼付構造体１の分解斜視図である。
【図３】第１実施形態に係るシート貼付構造体１を用いて保護シート１０を貼付する貼付方法を説明する図であって、シート貼付構造体１をゲーム機８の表示面８１側に移動させている状態を示す図である。
【図４】（ａ）及び（ｂ）は、第１実施形態に係るシート貼付構造体１を用いて保護シート１０を貼付する貼付方法を説明する図であって、シート貼付構造体１を仮止貼付部３０により表示面８１に仮止めした状態を示す図である。
【図５】（ａ）及び（ｂ）は、第１実施形態に係るシート貼付構造体１を用いて保護シート１０を貼付する貼付方法を説明する図であって、図４に示す状態から第２剥離部２２を剥離させて、保護シート１０のＸ１側の半分を表示面８１に貼付した状態を示す図である。
【図６】（ａ）及び（ｂ）は、第１実施形態に係るシート貼付構造体１を用いて保護シート１０を貼付する貼付方法を説明する図であって、図５に示す状態から第１剥離部２１を剥離させて、保護シート１０の全体を表示面８１に貼付した状態を示す図である。
【図７】本発明の第２実施形態に係るシート貼付構造体１Ａの全体構成を示す図であって、（ａ）は平面図であり、（ｂ）は、図７（ａ）のＡ−Ａ線断面図である。
【図８】第２実施形態に係るシート貼付構造体１Ａを用いて保護シート１０を貼付する貼付方法を説明する図であって、シート貼付構造体１Ａをカメラ９の表示面９１側に移動させている状態を示す図である。
【図９】（ａ）及び（ｂ）は、第２実施形態に係るシート貼付構造体１Ａを用いて保護シート１０を貼付する貼付方法を説明する図であって、第１剥離部２１を剥離させて、保護シート１０のＸ１側の半分を表示面９１に貼付した状態を示す図である。
【図１０】本発明の第３実施形態に係るシート貼付構造体１Ｂの全体構成を示す図であって、（ａ）は平面図であり、（ｂ）は、図１０（ａ）のＡ−Ａ線断面図である。
【図１１】第３実施形態に係るシート貼付構造体１Ｂを用いて保護シート１０を貼付する貼付方法を説明する図であって、シート貼付構造体１Ｂをゲーム機８の表示面８１側に移動させている状態を示す図である。
【図１２】（ａ）及び（ｂ）は、第３実施形態に係るシート貼付構造体１Ｂを用いて保護シート１０を貼付する貼付方法を説明する図であって、シート貼付構造体１Ｂを仮止孔２１８によりゲーム機８に仮止めした状態を示す図である。
【図１３】（ａ）及び（ｂ）は、第３実施形態に係るシート貼付構造体１Ｂを用いて保護シート１０を貼付する貼付方法を説明する図であって、第２剥離部２２を剥離させて、保護シート１０のＸ１側の半分を表示面８１に貼付した状態を示す図である。
【図１４】本発明の第４実施形態に係るシート貼付構造体１Ｃの全体構成を示す図であって、（ａ）は平面図であり、（ｂ）は、図１４（ａ）のＡ−Ａ線断面図である。
【発明を実施するための形態】
【００２１】
＜第１実施形態＞
以下、適宜図面を参照しつつ、本発明の第１実施形態のシート貼付構造体１及びシート貼付構造体１を用いて保護シート１０を貼付する貼付方法について具体的に説明する。なお、シート貼付構造体１の説明において、シート貼付構造体１の保護シート１０の長辺に沿う方向をＸ方向とし、Ｘ方向の一方側（図面の左方側）をＸ１側、Ｘ方向の他方側（図面の右方側）をＸ２側とする。また、シート貼付構造体１の保護シート１０の短辺に沿う方向をＹ方向とし、Ｙ方向の一方側（図面の上方側）をＹ１側、Ｙ方向の他方側（図面の下方側）をＹ２側とする。また、シート貼付構造体１の厚さ方向をＺ方向とする。
【００２２】
図１は、本発明の第１実施形態に係るシート貼付構造体１の全体構成を示す図であって、（ａ）は平面図であり、（ｂ）は、図１（ａ）のＡ−Ａ線断面図である。図２は、図１に示すシート貼付構造体１の分解斜視図である。
【００２３】
図１及び図２に示すように、第１実施形態におけるシート貼付構造体１は、図１及び図２に示すように、保護シート１０と、剥離シート２０と、仮止貼付部３０（仮止部）と、仮止保護シート４０と、を備える。
第１実施形態におけるシート貼付構造体１の保護シート１０は、例えば、被貼付部材としてのゲーム機８（装置）の表示面８１（表面）に貼り付けられて、ゲーム機８の表面を保護する際に用いられる（図６等参照）。
【００２４】
保護シート１０は、透明でシート状の部材により形成される。保護シート１０は、接着面１０ａを有する。保護シート１０は、接着面１０ａがゲーム機８の表示面８１に貼付されることで、ゲーム機８の表示面８１を保護する。保護シート１０は、ゲーム機８の表示面８１（図３参照）の形状に対応した形状に形成され、本実施形態においては、Ｘ方向に長い長方形形状に形成される。保護シート１０は、例えば樹脂材料から形成される。
【００２５】
剥離シート２０は、保護シート１０の接着面１０ａを保護するための部材である。剥離シート２０は、シート状の部材により形成される。剥離シート２０は、保護シート１０の接着面１０ａを覆うように、保護シート１０の接着面１０ａに剥離可能に貼り付けられている。剥離シート２０は、ゲーム機８の表示面８１に保護シート１０が貼付される際に接着面１０ａから剥離される。
【００２６】
剥離シート２０の材質としては、保護シート１０の接着面１０ａからの剥離が容易である材質や形状であることが好ましい。
本実施形態においては、剥離シート２０の厚さは、保護シート１０の厚さの半分以下であることが好ましく、例えば、保護シート１０の厚さが０．１ｍｍである場合に、剥離シート２０の厚さは０．０５ｍｍ以下であることが好ましい。これにより、ゲーム機８の表示面８１に保護シート１０を貼り付ける際において、ゲーム機８の表示面８１と保護シート１０との間の空間を狭くした状態で、剥離シート２０を保護シート１０の接着面１０ａから剥離して、保護シート１０をゲーム機８の表示面８１に貼り付けることができる。従って、ゲーム機８の表示面８１と保護シート１０との間に気泡（空気）が入ることを防止することができる。
【００２７】
剥離シート２０は、第１剥離部２１と、第２剥離部２２とを有する。第１剥離部２１及び第２剥離部２２は、保護シート１０の略半分の大きさで、同一形状の長方形のシート状に形成される。第１剥離部２１及び第２剥離部２２は、分離ラインとしての切断可能ライン２３を介してＸ方向に並んで配置される。本実施形態においては、切断可能ライン２３は、保護シート１０のＸ方向の略中央において、Ｙ方向に延びるように形成される。切断可能ライン２３は、ミシン目状の直線状の破断線により構成され、第１剥離部２１及び第２剥離部２２を容易に分離可能に構成される。
【００２８】
第１剥離部２１は、第１延出部２１１を有する。第２剥離部２２は、第２延出部２２１を有する。
【００２９】
第１延出部２１１は、図１及び図２に示すように、第１剥離部２１のＸ方向における切断可能ライン２３寄り（Ｘ２側）の部分において、第１剥離部２１のＹ方向のＹ２側の端部から保護シート１０のＹ方向のＹ２側（外側）に延びている。なお、第１延出部２１１は、第１剥離部２１に接着して形成されていてもよい。
【００３０】
第１延出部２１１は、図２に示すように、第１剥離部２１の保護シート１０側の面２１ａにつながる面２１１ａが外側に配置されるように折り返されている。第１延出部２１１は、切断可能ライン２３に略直交する（交差する）Ｘ方向で且つ第２剥離部２２から遠ざかる方向（Ｘ１側）に延びている。第１延出部２１１のＸ方向のＸ１側の端部２１４は、第１延出部２１１を引っ張ることにより保護シート１０から第１剥離部２１を剥離させる際において、使用者により把持される把持部として構成される。
【００３１】
詳述すると、第１延出部２１１は、図２に示すように、帯状に形成され、折り返される前の状態において、切断可能ライン２３のＹ方向のＹ２側の端部から、切断可能ライン２３が延びる方向に沿って、切断可能ライン２３の延長線上に沿ってＹ方向に直線状に延びている（図２における二点鎖線参照）。第１延出部２１１の一辺２１２は、切断可能ライン２３のＹ方向のＹ２側の端部から延びている。
そして、第１延出部２１１は、第１剥離部２１の保護シート１０側の面２１ａにつながる面２１１ａが外側に配置されるように折り返されている。第１延出部２１１は、図２に示すように、折り返された状態において、第１延出部２１１の一辺２１２が第１剥離部２１のＹ２側のＸ方向に延びる辺２１ｂに沿うように、折り返し傾斜ライン２１３を介して折り返されている。
【００３２】
このように構成される第１延出部２１１は、図１に示す状態において、保護シート１０の上面側からシート貼付構造体１を押さえた状態でＸ方向のＸ１側に引っ張られることで、第１剥離部２１を切断可能ライン２３側から切断して、第１剥離部２１を保護シート１０から剥離させることができる。
【００３３】
第２延出部２２１は、第２剥離部２２のＸ方向における切断可能ライン２３寄り（Ｘ１側）の部分において、第２剥離部２２のＹ方向のＹ２側の端部から保護シート１０のＹ方向のＹ２側（外側）に延びている。なお、第２延出部２２１は、第２剥離部２２に接着して形成されていてもよい。
【００３４】
第２延出部２２１は、図２に示すように、第２剥離部２２の保護シート１０側の面２２ａにつながる面２２１ａが外側に配置されるように折り返されている。第２延出部２２１は、切断可能ライン２３に略直交する（交差する）方向Ｘで且つ第１剥離部２１から遠ざかる方向（Ｘ２側）に延びている。第２延出部２２１のＸ方向のＸ２側の端部２２４は、第２延出部２２１を引っ張ることにより保護シート１０から第２剥離部２２を剥離させる際において、使用者により把持される把持部として構成される。
【００３５】
詳述すると、第２延出部２２１は、図２に示すように、帯状に形成され、折り返される前の状態において、切断可能ライン２３のＹ方向のＹ２側の端部から、切断可能ライン２３が延びる方向に沿って、切断可能ライン２３の延長線上に沿ってＹ方向に直線状に延びている（図２における二点鎖線参照）。第２延出部２２１の一辺２２２は、切断可能ライン２３のＹ方向のＹ２側の端部から延びている。
そして、第２延出部２２１は、第２剥離部２２の保護シート１０側の面２２ａにつながる面２２１ａが外側に配置されるように折り返されている。第２延出部２２１は、図２に示すように、折り返された状態において、第２延出部２２１の一辺２２２が第２剥離部２２のＹ２側のＸ方向に延びる辺２２ｂに沿うように、折り返し傾斜ライン２２３を介して折り返されている。
【００３６】
このように構成される第２延出部２２１は、図１に示す状態において、保護シート１０の上面側からシート貼付構造体１を押さえた状態でＸ方向のＸ２側に引っ張られることで、第２剥離部２２を切断可能ライン２３側から切断して、第２剥離部２２を保護シート１０から剥離させることができる。
【００３７】
仮止貼付部３０は、第１剥離部２１から分離しない状態（接合した状態）で、第１剥離部２１におけるゲーム機８の表示面８１側の面（第１剥離部２１における保護シート１０側とは反対側の面）に設けられる（図４参照）。仮止貼付部３０は、保護シート１０をゲーム機８の表示面８１に仮止めするために用いられる。仮止貼付部３０は、ゲーム機８の表示面８１に貼り付け可能である。仮止貼付部３０は、図１及び図２に示すように、第１剥離部２１におけるＸ方向の切断可能ライン２３寄りに配置される。
【００３８】
仮止貼付部３０は、図１（ａ）に示すように、第１剥離部２１における切断可能ライン２３からＸ方向のＸ１側に距離Ｈ離間して配置される。距離Ｈは、例えば、０〜５ｍｍである。また、仮止貼付部３０は、第１剥離部２１のＹ方向のＹ１側の端部からＹ方向のＹ２側に距離Ｌ１離間して配置され、第１剥離部２１のＹ方向のＹ２側の端部からＹ方向のＹ１側に距離Ｌ２離間して配置される。距離Ｌ１は、例えば０ｍｍであり、距離Ｌ２は、例えば４０ｍｍである（Ｌ１＜Ｌ２）。
【００３９】
仮止貼付部３０の大きさは、第１剥離部２１の大きさよりも小さい。第１剥離部２１がＸ方向の長さがＸａでＹ方向の長さがＹａの方形状（Ｘａ×Ｙａの方形状）に形成されるのに対して、仮止貼付部３０は、Ｘ方向の長さがＸｂでＹ方向の長さがＹｂの方形状（Ｘｂ×Ｙｂの方形状）に形成される。第１剥離部２１の長さＸａは、例えば３０〜１００ｍｍであり、長さＹａは、例えば５０〜１００ｍｍである。また、仮止貼付部３０の長さＸｂは、例えば１０〜１５ｍｍであり、長さＹｂは、例えば１５〜３０ｍｍである。
また、第１剥離部２１のＹ方向の長さＹａに対する仮止貼付部３０のＹ方向の長さＹｂの割合は、例えば１０〜２０％である（（Ｙｂ／Ｙａ）×１００％）。
【００４０】
仮止貼付部３０の粘着面３０ａは、ゲーム機８の表示面８１に対して貼付可能であって、ゲーム機８の表示面８１に貼付された後に剥離可能である。仮止貼付部３０の粘着面３０ａは、ゲーム機８の表示面８１から剥離された後において、ゲーム機８の表示面８１に糊残りがない材料により形成される。
【００４１】
仮止貼付部３０は、第１剥離部２１から分離しない状態で第１剥離部２１に設けられているため、ゲーム機８の表示面８１に貼付された後において、第１剥離部２１が接着面１０ａから剥離されるときに、第１剥離部２１とともにゲーム機８の表示面８１から剥離される。
本実施形態においては、仮止貼付部３０は、例えば両面テープにより構成される。仮止貼付部３０の粘着面３０ａは、粘着性を有する粘着剤などにより構成される。
【００４２】
仮止貼付部３０の粘着面３０ａは、仮止保護シート４０により保護される。仮止保護シート４０は、仮止貼付部３０と略同じ大きさに形成される。仮止保護シート４０は、仮止貼付部３０の粘着面３０ａに貼り付けられている。仮止保護シート４０は、仮止貼付部３０がゲーム機８の表示面８１に貼付される際に剥離される。
【００４３】
次に、図面を参照して、第１実施形態におけるシート貼付構造体１を用いて保護シートを貼付する貼付方法について説明する。図３は、第１実施形態に係るシート貼付構造体１を用いて保護シート１０を貼付する貼付方法を説明する図であって、シート貼付構造体１をゲーム機８の表示面８１側に移動させている状態を示す図である。図４の（ａ）及び（ｂ）は、第１実施形態に係るシート貼付構造体１を用いて保護シート１０を貼付する貼付方法を説明する図であって、シート貼付構造体１を仮止貼付部３０により表示面８１に仮止めした状態を示す図である。図５の（ａ）及び（ｂ）は、第１実施形態に係るシート貼付構造体１を用いて保護シート１０を貼付する貼付方法を説明する図であって、図４に示す状態から第２剥離部２２を剥離させて、保護シート１０のＸ１側の半分を表示面８１に貼付した状態を示す図である。図６の（ａ）及び（ｂ）は、第１実施形態に係るシート貼付構造体１を用いて保護シート１０を貼付する貼付方法を説明する図であって、図５に示す状態から第１剥離部２１を剥離させて、保護シート１０の全体を表示面８１に貼付した状態を示す図である。
【００４４】
まず、仮止工程において、図３及び図４に示すように、シート貼付構造体１を使用する使用者は、仮止貼付部３０から仮止保護シート４０を剥離させて仮止貼付部３０の粘着面３０ａを露出した状態で、仮止貼付部３０をゲーム機８の表示面８１に貼付する。これにより、保護シート１０をゲーム機８の表示面８１に位置決めした状態で、保護シート１０をゲーム機８の表示面８１に仮止めする。ここで、仮止貼付部３０の大きさは、第１剥離部２１よりも小さい。そのため、保護シート１０の接着面１０ａが露出していない状態で仮止貼付部３０を表示面８１に位置決めして貼り付けることで、保護シート１０の位置決めを容易に行うことができる。
【００４５】
次に、第１剥離貼付工程において、シート貼付構造体１の使用者は、仮止工程により保護シート１０を仮止貼付部３０で仮止めした後に、図４に示す状態から、第２剥離部２２を第２延出部２２１を引っ張ることにより保護シート１０から剥がして、保護シート１０をゲーム機８の表示面８１に貼付する。
具体的には、シート貼付構造体１を使用する使用者は、保護シート１０をゲーム機８の表示面８１に押さえ付けながら、第２延出部２２１の端部２２４を把持して、第２延出部２２１をＸ方向のＸ２側に引っ張る。
【００４６】
これにより、第２剥離部２２は、切断可能ライン２３により切断されると共に、第２剥離部２２の切断可能ライン２３寄りのＹ方向のＹ２側の端部から外側に向けて順に剥離される。詳細には、第２延出部２２１をＸ方向のＸ２側に引っ張ることにより、第２剥離部２２は、第２延出部２２１により引っ張られて、折り返し傾斜ライン２２３が斜め上方側に平行移動して、図４における斜め右上方側に向けて剥離されていく。
【００４７】
ここで、第２延出部２２１は、図２に示すように、第２剥離部２２の保護シート１０側の面２２ａにつながる面２２１ａが外側に配置されるように、折り返し傾斜ライン２２３を介して、折り返されている。これにより、第２延出部２２１をＸ方向のＸ２側に引っ張った場合に、第２剥離部２２における保護シート１０の接着面１０ａ側の面２２ａを折り返し傾斜ライン２２３を境にゲーム機８の表示面８１側に反転させながら第２剥離部２２を移動させて、保護シート１０の接着面１０ａから第２剥離部２２を剥離することができる。
【００４８】
また、第２延出部２２１は、切断可能ライン２３寄りに配置されている。そのため、第２延出部２２１を引っ張ることにより、切断可能ライン２３を容易に切断することができる。更に、本実施形態においては、第２延出部２２１の一辺２２２は、切断可能ライン２３のＹ方向のＹ２側の端部から延びている。そのため、第２延出部２２１を引っ張るだけで、切断可能ライン２３を一層容易に切断することができる。
【００４９】
保護シート１０をゲーム機８の表示面８１に押さえ付けながら保護シート１０から第２剥離部２２が剥離されることで、保護シート１０は、第２剥離部が剥離された部分である切断可能ライン２３寄りの部分から順に、ゲーム機８の表示面８１に貼付される。ここでは、保護シート１０の接着面１０ａとゲーム機８の表示面８１とを密着させながら第２剥離部２２を剥離させて、保護シート１０における第２剥離部２２が貼付されていた部分を、ゲーム機８の表示面８１に貼付することができる。
これにより、図５に示すように、保護シート１０は、第２剥離部２２を剥離することで、ゲーム機８の表示面８１のＸ方向のＸ２側の略半分の部分に貼り付けられる。
【００５０】
次に、第２剥離貼付工程において、シート貼付構造体１の使用者は、第１剥離貼付工程の後に、図５に示す状態から、仮止貼付部３０が設けられる第１剥離部２１を第１延出部２１１を引っ張ることにより保護シート１０から剥がすと共に仮止貼付部３０をゲーム機８の表示面８１から剥がして、保護シート１０をゲーム機８の表示面８１に貼付する。
【００５１】
具体的には、シート貼付構造体１を使用する使用者は、第１剥離部２１を保護シート１０から剥離させる。第２剥離貼付工程においては、第１剥離貼付工程と同様に、保護シート１０をゲーム機８の表示面８１に押さえ付けながら、第１延出部２１１の端部２１４を把持して、第１延出部２１１をＸ方向のＸ１側に引っ張る。
第１剥離部２１を保護シート１０から剥離させる手順は、第２剥離部２２を剥離させるために第２延出部２２１をＸ２側に引っ張る手順に代えて第１剥離部２１を剥離させるために第１延出部２１１をＸ１側に引っ張ることが異なるのみで、前述の第２剥離部２２を保護シート１０から剥離させる第１剥離貼付工程とほぼ同様である。そのため、第２剥離貼付工程における第１剥離貼付工程と同様の動作は、第１剥離貼付工程の説明を援用して、その説明を省略する。この場合、第２剥離貼付工程においては、第１剥離貼付工程と同様の作用効果が奏される。
【００５２】
また、第２剥離貼付工程においては、第１剥離貼付工程と同様の動作を行うことによって、第１剥離部２１を保護シート１０から剥離させる際に、第１剥離部２１とともに、仮止貼付部３０は、ゲーム機８の表示面８１から剥離される。ここで、第２剥離貼付工程は、第１剥離貼付工程の後に行われる。そのため、保護シート１０における第２剥離部２２が貼付されていた部分は、第１剥離貼付工程により、ゲーム機８の表示面８１に貼付されている状態である。これにより、保護シート１０における第２剥離部２２が貼付されていた部分がゲーム機８の表示面８１に貼付されているため、第１剥離部２１を安定して保護シート１０から剥離させることができ、仮止め用に使用した仮止貼付部３０を第１剥離部２１とともに容易に除去することができる。
【００５３】
そして、第２剥離貼付工程においては、第１剥離貼付工程と同様に、保護シート１０の接着面１０ａとゲーム機８の表示面８１とを密着させながら第１剥離部２１を剥離させて、保護シート１０における第１剥離部２１が貼付されていた部分を、ゲーム機８の表示面８１に貼付する。第２剥離貼付工程においては、保護シート１０における第２剥離部２２が貼付されていた部分がゲーム機８の表示面８１に貼付されているため、保護シート１０における第１剥離部２１が貼付されていた部分をゲーム機８の表示面８１に安定して貼付することができる。
以上により、保護シート１０の全体をゲーム機８の表示面８１に貼付することができる。
【００５４】
以上のように構成されるシート貼付構造体１は、仮止貼付部３０により保護シート１０を位置決めした状態で仮止めすることで、保護シート１０を容易に位置決めすることができる。これにより、保護シート１０の位置ずれを低減することができる。そして、保護シート１０とゲーム機８の表示面８１との間に気泡やホコリが入ることを低減した状態で、簡単に、保護シート１０をゲーム機８の表示面８１に貼付することができる。
【００５５】
以上に説明した第１実施形態のシート貼付構造体１によれば、例えば、次のような効果が奏される。
【００５６】
第１実施形態においては、ゲーム機８の表示面８１に貼り付けられてゲーム機８の表示面８１を保護する保護シート１０であって、接着面１０ａを有する保護シート１０と、接着面１０ａを覆うと共に、分離ライン２３を介して並んで配置される第１剥離部２１及び第２剥離部２２を有する剥離シート２０と、第１剥離部２１及び第２剥離部２２から保護シート１０の外側に延びる延出部２１１、２２１と、を備える。そのため、第１延出部２１１及び第２延出部２２１を引っ張るだけで、第１剥離部２１及び第２剥離部２２を保護シート１０から容易に剥離させて、保護シート１０をゲーム機８の表示面８１に容易に貼付することができる。
【００５７】
また、第１実施形態においては、第１剥離部２１に設けられ、保護シート１０をゲーム機８の表示面８１に仮止めするための仮止貼付部３０を更に備える。そのため、仮止貼付部３０により保護シート１０を位置決めした状態で仮止めすることで、保護シート１０を容易に位置決めすることができる。これにより、保護シート１０の位置ずれを低減することができる。また、仮止貼付部３０により保護シート１０をゲーム機８に仮止めできるため、保護シート１０をゲーム機８の表示面８１に容易に貼付することができる。
【００５８】
また、第１実施形態においては、仮止貼付部３０は、ゲーム機８に貼り付け可能である。そのため、仮止貼付部３０をゲーム機８に貼り付けるだけで、保護シート１０をゲーム機に容易に仮止めすることができる。
【００５９】
また、第１実施形態においては、仮止貼付部３０は、第１剥離部２１における切断可能ライン２３寄りに配置される。そのため、仮止貼付部３０を切断可能ライン２３側に貼り付けた安定した状態で、保護シート１０から第２剥離部２２を剥離させることができる。これにより、安定した状態で保護シート１０を表示面８１に貼付することができるため、保護シート１０の位置ずれを低減することができる。
【００６０】
また、第１実施形態においては、第１延出部２１１は、第１剥離部２１における切断可能ライン２３寄りの部分から保護シート１０の外側に延びており、第２延出部２２１は、第２剥離部２２における切断可能ライン２３寄りの部分から保護シート１０の外側に延びている。そのため、第１剥離部２１及び第２剥離部２２を、切断可能ライン２３側から剥離することができる。これにより、保護シート１０を端部側から貼り付けるよりも、保護シート１０を安定した状態で貼り付けることができ、保護シート１０とゲーム機８の表示面８１との間に気泡やホコリが入ることを低減することができる。
【００６１】
特に、第１実施形態においては、切断可能ライン２３は、保護シート１０のＸ方向の略中央に形成される。そのため、保護シート１０をＸ方向の略中央側から端部側に拡がるように、ゲーム機８の表示面８１に貼り付けることができる。これにより、保護シート１０とゲーム機８の表示面８１との間に気泡やホコリが入ることを一層低減することができる。
【００６２】
また、第１実施形態においては、第１延出部２１１は、第１剥離部２１の保護シート１０側の面２１ａにつながる面２１１ａが外側に配置されるように折り返されると共に、切断可能ライン２３に交差する方向Ｘで且つ第２剥離部２２から遠ざかる方向（Ｘ１側）に延びており、第２延出部２２１は、第２剥離部２２の保護シート１０側の面２２ａにつながる面２２１ａが外側に配置されるように折り返されると共に、切断可能ライン２３に交差する方向Ｘで且つ第１剥離部２１から遠ざかる方向（Ｘ２側）に延びている。
【００６３】
そのため、第１延出部２１１及び第２延出部２２１をＸ方向のＸ１側又はＸ２側に引っ張ることにより、第１剥離部２１及び第２剥離部２２を切断可能ライン２３側から順に剥離することができる。これにより、第１延出部２１１及び第２延出部２２１を引っ張るだけで、第１剥離部２１及び第２剥離部２２を保護シート１０から容易に剥離させて、保護シート１０をゲーム機８の表示面８１に容易に貼付することができる。
【００６４】
また、第１延出部２１１は、第１剥離部２１の保護シート１０側の面２１ａにつながる面２１１ａが外側に配置されるように折り返される。第２延出部２２１は、第２剥離部２２の保護シート１０側の面２２ａにつながる面２２１ａが外側に配置されるように折り返される。そのため、第１延出部２１１及び第２延出部２２１をＸ方向のＸ１側又はＸ２側に引っ張った場合に、第１剥離部２１及び第２剥離部２２における保護シート１０の接着面１０ａ側の面２１ａ，２２ａを折り返し傾斜ライン２２３を境に反転させながら、保護シート１０から第２剥離部２２を剥離するように移動させることができる。これにより、第１延出部２１１及び第２延出部２２１をＸ方向のＸ１側又はＸ２側に引っ張ることにより、第１剥離部２１及び第２剥離部２２を、保護シート１０の接着面１０ａから容易に剥離させることができる。
【００６５】
また、第１実施形態においては、仮止貼付部３０をゲーム機８の表示面８１に保護シート１０を仮止めする仮止工程と、仮止工程により保護シート１０を仮止貼付部３０で仮止めした後に、第２剥離部２２を第２延出部２２１を引っ張ることにより保護シート１０から剥がして、保護シート１０をゲーム機８の表示面８１に貼付する第１剥離貼付工程と、第１剥離貼付工程の後に、仮止貼付部３０が設けられる第１剥離部２１を第１延出部２１１を引っ張ることにより保護シート１０から剥がすと共に仮止貼付部３０をゲーム機８の表示面８１から剥がして、保護シート１０をゲーム機８の表示面８１に貼付する第２剥離貼付工程と、を備える。
これにより、仮止貼付部３０により保護シート１０を位置決めした状態で仮止めすることで、保護シート１０の位置ずれを低減することができる。
【００６６】
また、第１実施形態においては、接着面１０ａを有し、接着面１０ａがゲーム機８の表示面８１に貼付される保護シート１０と、接着面１０ａを覆うように接着面１０ａに貼付され、ゲーム機８の表示面８１に保護シート１０が貼付される際に接着面１０ａから剥離される剥離シート２０であって、分離ライン２３を介して並んで配置される第１剥離部２１及び第２剥離部２２を有する剥離シート２０と、第１剥離部２１から保護シート１０の外側に延びる第１延出部２１１と、第２剥離部２２から保護シート１０の外側に延びる第２延出部２２１と、第１剥離部２１におけるゲーム機８の表示面８１側に設けられ、第１剥離部２１の大きさよりも小さい仮止貼付部３０であって、仮止貼付部３０がゲーム機８の表示面８１に貼付された後において、第１剥離部２１が接着面１０ａから剥離されるときにゲーム機８の表示面８１から剥離される仮止貼付部３０と、を備える。
【００６７】
そのため、仮止貼付部３０により保護シート１０を位置決めした状態で仮止めすることで、保護シート１０を容易に位置決めすることができる。これにより、保護シート１０の位置ずれを低減することができる。
また、第１剥離部２１を剥離させるだけで、ゲーム機８の表示面８１に貼付した仮止貼付部３０を剥離することができるため、仮止め用に使用した仮止貼付部３０を容易に除去することができる。
【００６８】
また、仮止貼付部３０の大きさは、第１剥離部２１よりも小さい。そのため、保護シート１０を位置決めする際のシート貼付構造体１の取り扱いが容易である。
また、仮止貼付部３０は、第１剥離部２１におけるゲーム機８の表示面８１側に設けられている。そのため、表示面８１の周囲に段差が形成されている場合や、ゲーム機８の表示面８１の外側に仮止めするための部分がない場合においても、ゲーム機８の表示面８１上に仮止貼付部３０を貼り付けて位置決めをすることができる。これにより、ゲーム機８の表示面８１上に仮止貼付部３０を直接貼付するだけで、保護シート１０の位置決めを容易に行うことができる。
【００６９】
＜第２実施形態＞
次に、適宜図面を参照しつつ、本発明の第２実施形態について説明する。図７は、本発明の第２実施形態に係るシート貼付構造体１Ａの全体構成を示す図であって、（ａ）は平面図であり、（ｂ）は、図７（ａ）のＡ−Ａ線断面図である。
第２実施形態については、主として、第１実施形態と異なる点を中心に説明し、第１実施形態と同様な構成については、詳細な説明を省略する。第２実施形態において、特に説明しない点は、第１実施形態についての説明が適宜適用される。また、第２実施形態においても、第１実施形態と同様な効果が奏される。
【００７０】
第２実施形態においては、第１実施形態と比べて、第１実施形態における仮止貼付部３０及び仮止保護シート４０を備えていない点、第１剥離部２１が第１実施形態における第１延出部２１１を有していない点、及び、第１剥離部２１が把持片２１５を有する点が主として異なる。
第２実施形態のシート貼付構造体１Ａは、図７に示すように、保護シート１０と、剥離シート２０と、を備える。
第２実施形態におけるシート貼付構造体１Ａの保護シート１０は、例えば、被貼付部材としてのカメラ９（装置）の背面側の表示面９１（表面）に貼付され、カメラ９の背面側の表示面９１を保護する際に用いられる（図８等参照）。
【００７１】
第２実施形態においては、保護シート１０における第１剥離部２１に覆われる接着面１０ａは、保護シート１０をカメラ９の表示面９１に仮止めするための仮止部としての機能を有する。
剥離シート２０は、第１実施形態と同様に、第１剥離部２１と、第２剥離部２２とを有する。第１剥離部２１は、把持片２１５を有する。第２剥離部２２は、第２延出部２２１を有する。第２実施形態のシート貼付構造体１Ａにおいて、第２延出部２２１の構成は、第１実施形態のシート貼付構造体１の構成と同様である。
【００７２】
第１剥離部２１の把持片２１５は、図７に示すように、第１剥離部２１のＸ方向における切断可能ライン２３寄り（Ｘ２側）の部分において、第１剥離部２１のＹ方向のＹ２側の端部から保護シート１０のＹ方向のＹ２側（外側）に突出している。
把持片２１５は、保護シート１０から第１剥離部２１を剥離する際に、使用者等に把持される。使用者は、把持片２１５を把持して、把持片２１５と共に第１剥離部２１を保護シート１０からめくり上げることにより、第１剥離部１２を保護シート１０から剥離することができる。
第２実施形態のシート貼付構造体１Ａにおいて、その他の構成は、第１実施形態のシート貼付構造体１の構成と同様である。
【００７３】
次に、図面を参照して、第２実施形態におけるシート貼付構造体１Ａを用いて保護シート１０を貼付する貼付方法について説明する。図８は、第２実施形態に係るシート貼付構造体１Ａを用いて保護シート１０を貼付する貼付方法を説明する図であって、シート貼付構造体１Ａをカメラ９の表示面９１側に移動させている状態を示す図である。図９の（ａ）及び（ｂ）は、第２実施形態に係るシート貼付構造体１Ａを用いて保護シート１０を貼付する貼付方法を説明する図であって、第１剥離部２１を剥離させて、保護シート１０のＸ１側の半分を表示面９１に貼付した状態を示す図である。
なお、第２実施形態のシート貼付構造体１Ａを用いて保護シート１０を貼付する貼付方法の説明において、第１実施形態と同様の貼付方法については、詳細な説明を省略する。
【００７４】
まず、シート貼付構造体１Ａを使用する使用者は、図７に示す状態から、把持片２１５を把持して、把持片２１５と共に第１剥離部２１を保護シート１０からめくり上げることにより、第１剥離部１２を保護シート１０から剥離させる。これにより、使用者は、保護シート１０における第１剥離部１２に覆われていた側の接着面１０ａを露出させる。
そして、仮止工程において、シート貼付構造体１Ａを使用する使用者は、図８及び図９に示すように、第１剥離部１２に覆われていた側の接着面１０ａを露出した状態で、仮止貼付部３０をカメラ９の表示面９１に貼付する。ここで、第１剥離部１２に覆われていた側の接着面１０ａは、保護シート１０をカメラ９の表示面９１に仮止めするための仮止部としての機能を有する。これにより、保護シート１０をカメラ９の表示面９１に位置決めした状態で、保護シート１０をカメラ９の表示面９１に仮止めすることができる。
【００７５】
次に、シート貼付構造体１Ａの使用者は、仮止工程により保護シート１０を接着面１０ａを貼り付けて仮止めした後に、図９に示す状態から、第１実施形態における第１剥離貼付工程と同様に、第２剥離部２２を第２延出部２２１を引っ張ることにより保護シート１０から剥がして、保護シート１０をカメラ９の表示面９１に貼付する。
以上により、保護シート１０の全体をカメラ９の表示面９１に貼付することができる。
【００７６】
以上に説明した第２実施形態のシート貼付構造体１Ａによれば、例えば、次のような効果が奏される。
第２実施形態においては、保護シート１０における第１剥離部２１に覆われる接着面１０ａは、保護シート１０をカメラ９の表示面９１に仮止めするための仮止部としての機能を有する。また、第２剥離部２２から保護シート１０の外側に延びる第２延出部２２１を有する。
【００７７】
そのため、保護シート１０における第１剥離部１２に覆われていた側の接着面１０ａにより保護シート１０を位置決めした状態で仮止めすることで、保護シート１０を容易に位置決めすることができる。これにより、保護シート１０の位置ずれを低減することができる。また、保護シート１０を仮止めした状態で、第２延出部２２１を引っ張るだけで、第２剥離部２２を保護シート１０から容易に剥離させることができ、保護シート１０をカメラ９の表示面９１に容易に貼付することができる。
【００７８】
また、第２実施形態におけるシート貼付構造体１Ａにおいては、カメラ９の表示面９１が小さい場合に、保護シート１０における第１剥離部２１に覆われる接着面１０ａを小さくすることができるため、保護シート１０における第１剥離部２１に覆われる接着面１０ａを表示面９１に貼り付けることが容易となる。従って、第２実施形態におけるシート貼付構造体１Ａにおいては、カメラ９の表示面９１が小さい場合に、保護シート１０における第１剥離部２１に覆われる接着面１０ａを仮止部として機能させることが好適である。
【００７９】
＜第３実施形態＞
次に、適宜図面を参照しつつ、本発明の第３実施形態について説明する。図１０は、本発明の第３実施形態に係るシート貼付構造体１Ｂの全体構成を示す図であって、（ａ）は平面図であり、（ｂ）は、図１０（ａ）のＡ−Ａ線断面図である。
第３実施形態については、主として、第１実施形態と異なる点を中心に説明し、第１実施形態と同様な構成については、詳細な説明を省略する。第３実施形態において、特に説明しない点は、第１実施形態についての説明が適宜適用される。また、第３実施形態においても、第１実施形態と同様な効果が奏される。
【００８０】
第３実施形態においては、第１実施形態における第１剥離部２１に設けられる仮止貼付部３０に代えて、第１剥離部２１が仮止延在部２１７を備える点について、第１実施形態と主に異なる。
第３実施形態のシート貼付構造体１Ｂは、図１０に示すように、保護シート１０と、剥離シート２０と、を備える。
【００８１】
第３実施形態におけるシート貼付構造体１Ｂの保護シート１０は、例えば、被貼付部材としてのゲーム機８の表示面８１に貼付され、ゲーム機８の表面を保護する際に用いられる（図１１等参照）。ゲーム機８の表面には、図１２に示すように、表示面８１と、凸部としての十字キー８２と、操作ボタン群８３と、が露出されている。表示面８１は、ゲーム機８の表面のＸ方向の略中央に設けられている。十字キー８２は、ゲーム機８の表面のＸ方向のＸ側の端部側に設けられている。操作ボタン群８３は、ゲーム機８の表面のＸ方向のＸ２側の端部側に設けられている。凸部としての十字キー８２及び操作ボタン群８３は、ゲーム機８の表面から突出している。
【００８２】
剥離シート２０は、第１実施形態と同様に、第１剥離部２１と、第２剥離部２２とを有する。
第３実施形態の第１剥離部２１は、第１延出部２１１と、仮止延在部２１７とを有する。第２剥離部２２は、第２延出部２２１を有する。
【００８３】
第１剥離部２１の仮止延在部２１７は、図１０に示すように、第１剥離部２１のＸ方向のＸ１側の端部から保護シート１０のＸ１側の外側に延びている。仮止延在部２１７のＹ方向の長さは、第１剥離部２１のＹ方向の長さと同じ長さである。
【００８４】
仮止延在部２１７は、仮止孔２１８を有する。仮止孔２１８は、仮止延在部２１７を貫通する貫通孔により形成される。仮止孔２１８は、ゲーム機８の十字キー８２の外形と同じ形状の貫通孔により構成される。仮止孔２１８は、ゲーム機８（装置）の十字キー８２（凸部）に挿通可能な仮止部である。仮止孔２１８は、保護シート１０をゲーム機８に仮止めする際に、ゲーム機８の十字キー８２に挿入されることにより、保護シート１０をゲーム機８に仮止めする。
第３実施形態のシート貼付構造体１Ｂにおいて、その他の構成は、第１実施形態のシート貼付構造体１の構成と同様である。
【００８５】
次に、図面を参照して、第３実施形態におけるシート貼付構造体１Ｂを用いて保護シート１０を貼付する貼付方法について説明する。図１１は、第３実施形態に係るシート貼付構造体１Ｂを用いて保護シート１０を貼付する貼付方法を説明する図であって、シート貼付構造体１Ｂをゲーム機８の表示面８１側に移動させている状態を示す図である。図１２の（ａ）及び（ｂ）は、第３実施形態に係るシート貼付構造体１Ｂを用いて保護シート１０を貼付する貼付方法を説明する図であって、シート貼付構造体１Ｂを仮止孔２１８によりゲーム機８に仮止めした状態を示す図である。図１３の（ａ）及び（ｂ）は、第３実施形態に係るシート貼付構造体１Ｂを用いて保護シート１０を貼付する貼付方法を説明する図であって、第２剥離部２２を剥離させて、保護シート１０のＸ１側の半分を表示面８１に貼付した状態を示す図である。
なお、第３実施形態のシート貼付構造体１Ｂを用いて保護シート１０を貼付する貼付方法の説明において、第１実施形態と同様の貼付方法については、詳細な説明を省略する。
【００８６】
まず、仮止工程において、図１１及び図１２に示すように、シート貼付構造体１Ｂを使用する使用者は、仮止延在部２１７の仮止孔２１８をゲーム機８の十字キー８２に挿通させた状態で、シート貼付構造体１Ｂをゲーム機８の表面に配置する。これにより、仮止孔２１８により保護シート１０をゲーム機８の表示面８１に位置決めした状態で、保護シート１０をゲーム機８に仮止めすることができる。仮止孔２１８により保護シート１０の接着面１０ａが露出していない状態で保護シート１０をゲーム機８の表面に位置決めすることができるため、保護シート１０の位置決めを容易に行うことができる。
【００８７】
次に、第１剥離貼付工程において、シート貼付構造体１Ｂの使用者は、仮止工程により保護シート１０を仮止孔２１８で仮止めした後に、第１実施形態と同様に、図１２に示す状態から、第２剥離部２２を第２延出部２２１を引っ張ることにより保護シート１０から剥がして、保護シート１０をゲーム機８の表示面８１に貼付する。
【００８８】
次に、シート貼付構造体１Ｂの使用者は、第１剥離貼付工程の後に、図１３に示すように、仮止延在部２１７をゲーム機８の表面から離れる側に浮かすことにより、十字キー８２に挿通された仮止孔２１８を十字キー８２から外す。そして、シート貼付構造体１Ｂの使用者は、十字キー８２から仮止孔２１８を外した状態で、第１実施形態の第２剥離貼付工程と同様に、図１３に示す状態から、第１剥離部２１を第１延出部２１１を引っ張ることにより、第１剥離部２１を保護シート１０から剥がして、保護シート１０をゲーム機８の表示面８１に貼付する。
以上により、保護シート１０の全体をゲーム機８の表示面８１に貼付することができる。
【００８９】
以上に説明した第３実施形態のシート貼付構造体１Ｂによれば、第１実施形態のシート貼付構造体１と同様の効果を奏する他、例えば、次のような効果が奏される。
第３実施形態においては、ゲーム機８の十字キー８２に挿通可能な仮止孔２１８を有する。そのため、仮止孔２１８をゲーム機８の十字キー８２に挿通するだけで、保護シート１０をゲーム機８に容易に仮止めすることができる。
【００９０】
＜第４実施形態＞
次に、適宜図面を参照しつつ、本発明の第４実施形態について説明する。図１４は、本発明の第４実施形態に係るシート貼付構造体１Ｃの全体構成を示す図であって、（ａ）は平面図であり、（ｂ）は、図１４（ａ）のＡ−Ａ線断面図である。
第４実施形態については、主として、第１実施形態と異なる点を中心に説明し、第１実施形態と同様な構成については、詳細な説明を省略する。第４実施形態において、特に説明しない点は、第１実施形態についての説明が適宜適用される。また、第４実施形態においても、第１実施形態と同様な効果が奏される。
【００９１】
第４実施形態においては、第１実施形態のシート貼付構造体１に加えて、第３実施形態の仮止延在部２１７を備える点について、第１実施形態と主に異なる。
第４実施形態のシート貼付構造体１Ｃは、図１４に示すように、保護シート１０と、剥離シート２０と、を備える。第４実施形態のシート貼付構造体１Ｃの第１剥離部２１は、仮止貼付部３０（貼付部）と、仮止孔２１８と、を有する。仮止貼付部３０は、第１実施形態の仮止貼付部３０と同様に、ゲーム機８の表示面８１に貼り付け可能である。仮止孔２１８は、第３実施形態の仮止孔２１８と同様に、ゲーム機８の十字キー８２に挿通可能である。
第４実施形態のシート貼付構造体１Ｃにおいて、その他の構成は、第１実施形態のシート貼付構造体１の構成と同様である。
【００９２】
また、第４実施形態におけるシート貼付構造体１Ｃを用いて保護シート１０を貼付する貼付方法は、第１実施形態及び第３実施形態における貼付方法を組み合わせた貼付方法である。
すなわち、第４実施形態においては、仮止工程において、仮止貼付部３０をゲーム機８に貼り付けると共に仮止孔２１８をゲーム機８の十字キー８２に挿通させることにより、保護シート１０をゲーム機８に仮止めする。その後、第１実施形態における第２剥離貼付工程及び第２剥離貼付工程を行うことにより、保護シート１０をゲーム機８の表示面８１に貼り付けることができる。
【００９３】
以上に説明した第４実施形態のシート貼付構造体１Ｃによれば、第１実施形態のシート貼付構造体１と同様の効果を奏する他、例えば、次のような効果が奏される。
第４実施形態のシート貼付構造体１Ｃは、ゲーム機８に貼り付け可能な仮止貼付部３０と、ゲーム機８の十字キー８２に挿通可能な仮止孔２１８と、を有する。そのため、仮止貼付部３０及び仮止孔２１８により、保護シート１０をゲーム機に容易且つ確実に仮止めすることができる。
【００９４】
以上、本発明の好適な実施形態について説明したが、本発明は、上述した実施形態に限定されることなく、種々の形態で実施することができる。
例えば、前記実施形態においては、被貼付部材の表示面をゲーム機８の表示面８１としたが、これに制限されない。例えば、被貼付部材の表示面を、携帯電話機の表示面や、カーナビゲーションシステムに使用される表示面としてもよい。
【００９５】
前記実施形態においては、第１剥離部２１及び第１延出部２１１を一体的に構成すると共に、第２剥離部２２及び第２延出部２２１を一体的に構成したが、これに制限されない。第１延出部２１１を第１剥離部２１と別体で構成してもよく、第２延出部２２１を第２剥離部２２と別体で構成してもよい。
【００９６】
前記第２実施形態においては、第１剥離部２１及び把持片２１５を一体的に構成したが、これに制限されず、把持片２１５を第１剥離部２１と別体で構成してもよい。
前記第３実施形態においては、第１剥離部２１及び仮止延在部２１７を一体的に構成したが、これに制限されず、仮止延在部２１７を第１剥離部２１と別体で構成してもよい。
【００９７】
前記実施形態においては、保護シート１０をゲーム機８の表示面８１やカメラ９の表示面９１に貼り付けるように構成したが、これに制限されない。例えば、保護シート１０をゲーム機８の表示面８１と反対側の表面に貼り付けるように構成してもよい。
【００９８】
前記第３実施形態においては、仮止孔２１８をゲーム機８の十字キー８２に挿通させて仮止めするように構成したが、これに制限されない。例えば、仮止孔を操作ボタン群８３のボタンに挿通可能な形状で構成し且つ挿通可能な位置に配置することにより、仮止孔をゲーム機８の操作ボタン群８３のボタンに挿通させて仮止めするように構成してもよい。
【００９９】
前記実施形態においては、剥離シートを、第１剥離部２１及び第２剥離部２２の２つで構成したが、これに制限されない。剥離シートを、３つ以上の剥離部で構成してもよい。
【０１００】
前記第１実施形態においては、仮止貼付部３０を第１剥離部２１の１箇所に設ける構成としたが、これに制限されない。仮止貼付部３０を第１剥離部２１に加えて第２剥離部２２にも設けてもよい。
【０１０１】
前記第１実施形態においては、仮止貼付部３０を両面テープで構成したが、これに制限されない。例えば、仮止貼付部３０を、粘着性を有する粘着剤で構成してもよい。
【０１０２】
前記実施形態においては、分離ラインを、ミシン目状の破断線により構成される切断可能ライン２３としたが、これに制限されない。分離ラインは、第１剥離部２１及び第２剥離部２２を完全に切断する切断ラインであってもよい。
【符号の説明】
【０１０３】
１、１Ａ、１Ｂ、１Ｃ  シート貼付構造体
８  ゲーム機（装置、被貼付部材）
９  カメラ（装置）
１０  保護シート
１０ａ  接着面
２０  剥離シート
２１  第１剥離部
２２  第２剥離部
２３  切断可能ライン（分離ライン）
３０  仮止貼付部（仮止部）
８１  表示面
２１１  第１延出部
２１８  仮止孔（仮止部）
２２１  第２延出部
【図１】
0005547792.tif 000002
【図２】
0005547792.tif 000003
【図３】
0005547792.tif 000004
【図４】
0005547792.tif 000005
【図５】
0005547792.tif 000006
【図６】
0005547792.tif 000007
【図７】
0005547792.tif 000008
【図８】
0005547792.tif 000009
【図９】
0005547792.tif 000010
【図１０】
0005547792.tif 000011
【図１１】
0005547792.tif 000012
【図１２】
0005547792.tif 000013
【図１３】
0005547792.tif 000014
【図１４】
0005547792.tif 000015